(57)【要約】【課題】灰ふるい作業を行う仏壇用香炉、または、線香立ては、灰清掃用具へ灰を移したり、清掃済みの灰を戻したりする作業を行うので灰が周辺に飛散する課題があった。灰清掃作業において、灰が周辺に飛散しない電動灰清掃具を得るにある。【解決手段】  灰清掃に最適なステンレス網メッシュ数の金網で灰を掬うスプーン型の灰掬い部を設け、灰掬い部の柄を往復運動部のスライダに嵌合して、掬った灰はスライダの往復運動で燃え残りの線香と灰を分離させる。往復運動部は、一般的なクランク機構であって、モーター軸に取り付けたピニオンギアに、該ピニオンギアの軸直角に噛合するクランク・デイスクのギアに噛合する。回転運動をするクランク・デイスクと、往復運動をするスライダをコネクテング・ロッドで接続した。電源制御部は、電池で駆動するモーターの回転を回路の並列抵抗をスイッチで切替え電圧を変化させて回転運動を制御する。往復運動部と電源制御部は、筒状ケース把握部に収納した構成の電動灰清掃具である。【選択図】図３
0003140741.tif 000002
【実用新案登録請求の範囲】
【請求項１】
仏壇香炉、または線香立ての燃え残りの線香と灰を直接掬い清掃をするスプーン型の灰掬い部（１１０）と、スプーン型の灰掬い部（１１０）の柄（１１３）と嵌合したスライダ（１２６）と、スライダ（１２６）を有した往復運動部（１２０）と、電池（１３１）を含めた電源制御部（１３０）を円筒ケース把握部（１４０）に収納して構成された電動灰清掃具（１５０）であって、該電動灰清掃具（１５０）は、金属あるいはプラスチックを用いて形成したスプーン型の灰掬い部（１１０）と、円筒ケース把握部（１４０）を設け、該円筒ケース把握部（１４０）は、往復運動部（１２０）と、電源制御部（１３０）を収納して、スプーン型の灰掬い部（１１０）は、灰掬い部枠（１１１）と、該灰掬い部枠（１１１）を支持する柄（１１３）を設けて、灰掬い部枠（１１１）に設けた金網（１１２）は、ステンレス網メッシュ数１２からメッシュ数２０のいずれか一つのメッシュ数で形成して、柄（１１３）と嵌合したスライダ（１２６）に往復運動を伝える往復運動部（１２０）は、モーター軸に取り付けたピニオンギア（１２２）に、該ピニオンギア（１２２）の軸直角に噛合するクランク・デスク（１２３）のギア（１２４）に噛合して、回転運動をするクランク・デスク（１２３）と、往復運動をするスライダ（１２６）とコネクテング・ロッド（１２５）で接続して、灰清掃の際の最適往復運動値が得られるようにモーター（１２１）に電池（１３１）を接続して制御する電源制御部（１３０）は、モーター（１２１）の回転数を、電気回路（１３３）に設けた並列抵抗（１３４）を選択して供給電圧を制御するスイッチ（１３２）との構成であることを特徴とする電動灰清掃具。
【請求項２】
上記記載の電動灰清掃具（１５０）であって、仏具であるので仏壇香炉と、または線香立てと、電動灰清掃具（１５０）とを組み合わせて使用するときは、組み合わせて使用する仏壇香炉と、または線香立てと、電動灰清掃具（１５０）の外観全体の材質を統一して、統一した材質を、金と、銀と、プラチナ等のいずれか一つの金属で仕上げて、電動灰清掃具のステンレス網は統一された外観全体の材質の色に合わせてメッキで着色する構成であることを特徴とする請求項１記載の電動灰清掃具。
【考案の詳細な説明】
【技術分野】
【０００１】  本考案は、家庭用、または一般用の宗教用具または祭礼用具であって、具体的には、仏壇用香炉、または線香立ての燃え残り線香を除去する灰ふるいに使用する電動灰清掃具に関する。
【背景技術】
【０００２】  従来から、朝な夕なに仏壇に礼拝を行う家庭において、仏壇香炉、または線香立てに線香を上げて礼拝するので、燃え残り線香が溜まり、線香を立てる箇所が無くなるようなことがある。線香を確実に立てないと線香が倒れ出火する恐れもあるのでこのようなことが起きないように、仏壇香炉、または線香立ては、灰清掃が行われる。仏壇香炉、または線香立ての灰の清掃に使用さる道具として茶漉器とか金網ザル或いは、箸やピンセット等が使用され燃え残り線香を取り除いている。また、市販の灰清掃具としては、灰を清掃する灰ふるい器等も販売されている。次に公報例を３件示す。【０００３】  図４（Ａ）は、従来の灰ふるい器の斜視図を示した図である。
図４（Ｂ）は、図４（Ａ）の断面図を示した図である。
灰ふるい器は、筒状の本体１と、該本体１の内部に嵌着される網４と、前記本体１を密封する蓋部材２、３とからなり、前記網４が、その中央部に上方向へ凸状に湾曲された山部５が形成され、該山部５の周囲外周縁６よりさらに下がった谷部７が形成されている（例えば、特許文献１参照。）。【０００４】  灰ふるい器の使用は、仏壇香炉、または線香立ての燃え残りの線香のある灰を、灰ふるい器の中に入れると、網４が山部５と環状の谷部７とから構成されているため、灰が谷部５に、ほどよく分散され、中央部に集まることがない。また網４が水平方向成分の面だけでなく、山部５や谷部７で垂直方向成分の面をも有しているため、灰ふるい器を横方向に振るときに灰を横方向にこす効果をもある。清掃済みの灰は、仏壇香炉或いは、線香立てに戻して使用される。【０００５】  上記記載の灰ふるい器は、仏壇香炉、または線香立ての燃え残り線香を清掃するとき、仏壇香炉、または線香立ての灰を、灰ふるい器の中に入れる作業と、仏壇香炉、または線香立てに戻す作業が必要である。灰を容器に入れ替えるとき、灰が周囲に飛び散り落下する。さらに、灰を煙幕のように周囲に撒き散らす恐れがあるので慣れた者が風のない雨の降らない家の外でなければ扱い難いという課題がある。【０００６】  図５と図６は、従来の線香ふるいの斜視図を示した図である。
線香ふるいを使用する際、線香立てに線香ふるいを覆いかぶせる。覆いかぶせた線香ふるいの天地を逆さにして、線香立ての燃え残り線香を清掃する（例えば、特許文献２参照。）。
説明の都合上特許文献２の符号の説明を大きく変えないように、符号は次のように付した。符号の説明：１Ａは線香立て、２Ａは灰、３Ａは燃え残り線香、４Ａは透明容器、５Ａは網容器、６Ａは天網部、７Ａは脚部、８Ａはフック部である。【０００７】  図５（Ａ）は、従来の線香ふるいを線香立てに覆いかぶせた斜視図を示した図である。
線香ふるいは、筒状の透明容器４Ａなるプラスチック容器本体と、該本体の内部に吊り下げる網容器５Ａとからなる。
線香ふるいを使用する際、線香立て１Ａに線香ふるいを覆いかぶせ、天地を逆さにして、線香立て１Ａの燃え残り線香３Ａを網容器５Ａの天網部６Ａで捕獲して、灰２Ａを天網部６Ａで濾過して透明なプラスチック容器本体である透明容器４Ａに収納する。【０００８】  図５（Ｂ）は、図５（Ａ）の天地を逆さにした斜視図を示した図である。
線香立て１Ａに線香ふるいを覆いかぶせ天地を逆さにして、灰２Ａを落下させ燃え残り線香３Ａを網容器５Ａの天網部６Ａで捕獲して、網容器５Ａの天網部６Ａを濾過した灰２Ａを透明容器４Ａに収納する。清掃済みの灰２Ａは、線香立てに戻して使用される。【０００９】  図６（Ａ）は、図５（Ｂ）の網容器の斜視図を示した図である。
燃え残り線香３Ａを透明容器５Ａの内部に吊り下げて捕獲している網容器５Ａである。
網容器５Ａは、天網部６Ａと、脚部７Ａと、フック部８Ａからなる。網容器５Ａの内部には、捕獲された燃え残り線香３Ａがある。【００１０】  図６（Ｂ）は、図５（Ｂ）の透明容器の斜視図を示した図である。
線香ふるいを使用して、線香立て１Ａに線香ふるいを覆いかぶせ、天地を逆さにして、線香立て１Ａの燃え残り線香を網容器５Ａで捕獲して、灰２Ａを透明なプラスチック容器本体である透明容器４Ａに収納している。【００１１】  上記記載の灰ふるいは、線香立ての燃え残り線香を清掃するには、線香立ての直径と、透明なプラスチック容器本体の透明容器の直径とが一致することが望ましい。一致しないとき、線香立ての直径が透明容器より大きいと、清掃しない灰が、透明容器の外にこぼれるので天地を逆さにできない。線香立ての燃え残り線香と灰を細心の注意を払い網容器に移し換えることになる。また、線香立ての直径と、透明容器の直径とが一致しても、清掃した灰を透明容器から線香立てに戻すとき、灰が周囲に飛び散り落下する。あるいは、灰を煙幕のように周囲に撒き散らすことになるので慣れた者が風のない雨の降らない家の外でなければ扱い難いという課題がある。【００１２】  図７と図８は、従来の灰清掃具セットの斜視図を示した図である。
灰清掃具セットは、灰清掃用具１０と灰清掃用蓋４０から構成されている。
灰清掃具セットを使用して仏壇香炉３０、または線香立て３１の灰に溜まった燃え残り線香を清掃する。仏壇香炉３０、または線香立て３１の灰を灰清掃用具１０で、掬い、掴んで、ふるい作業を行う。このとき灰が周辺に煙幕の如く飛び散るので、清掃をする仏壇香炉３０、または線香立て３１を灰清掃用蓋４０で覆うことにしてある。ふるい作業が出来るように灰清掃用蓋４０は、灰清掃用具１０を挿入して、ふるい作業ができるスリット４４を設けてある。灰ふるい作業は、スリット４４に灰清掃用具１０を挿入して、灰を掬い、掴み、ふるい作業を行う。（例えば、特許文献３参照。）。【００１３】  図７（Ａ）は、従来の灰清掃用具の斜視図を示した図である。
灰清掃用具１０は、仏壇香炉３０、または線香立て３１の灰を、掬い、掴んで、ふるう作業を行う。燃え残り線香と、灰とを分離できるように、ふるい本体部分１６に網目１８がある。ふるい本体部分１６を挟む操作のできる柄１２が設けられている。【００１４】  図７（Ｂ）は、図７（Ａ）灰清掃用具の使用例の斜視図を示した図である。
灰清掃用具１０を使用して、仏壇香炉３０、または線香立て３１の灰に溜まった燃え残り線香を清掃する図である。例えば、仏壇香炉３０の清掃は、灰と燃え残り線香は混合している。混合している灰を灰清掃用具１０のふるい本体部分１６で掬い、柄１２を操作して掴んで、掴んだ後ふるい作業を行う。ふるい作業で灰と燃え残り線香は分離される。
灰のふるい作業では、柄１２を把握した手の振り方によって、灰が周辺に撒き散ることがあるので灰のふるい作業のとき、仏壇香炉、または線香立てをカバーする灰清掃用蓋が用意されている。【００１５】  図８（Ａ）は、従来の灰清掃用蓋の斜視図を示した図である。
灰清掃用具１０を使用してふるい作業を行うとき、ふるい作業を行った灰が周辺に撒き散らないように、仏壇香炉３０、または線香立て３１を覆う蓋体となる透明ないし、半透明の略円筒状の蓋体である灰清掃用蓋４０が設けてある。灰清掃用蓋４０は、灰清掃用具１０が挿入できるスリット４４を設けてある。スリット４４は、灰清掃用具１０を挿入して、灰を掬い、掴み、ふるい作業のできる間隔を設けてある。【００１６】  図８（Ｂ）は、従来の灰清掃具セットの使用例の斜視図を示した図である。
仏壇香炉３０の燃え残り線香を清掃するための灰清掃具セットの使用例である。仏壇香炉３０に灰清掃用蓋４０で蓋をされ、灰清掃用蓋４０のスリット４４から灰清掃用具１０を挿入して、仏壇香炉３０の灰を掬い、掴み、掴んだ後ふるい作業が行われる。【００１７】  上記記載の灰清掃具セットは、仏壇香炉、または線香立ての線香の燃え残りを清掃するとき、仏壇香炉、または線香立ての直径と、灰清掃用蓋の直径とを一致させることが必要となる。直径の一致した灰清掃用蓋を準備するという課題がある。又は、従来使用している由緒ある仏壇香炉、または線香立ての使用を中止して、灰清掃具セットを購入することになる。
また、灰清掃用蓋のスリットから灰清掃用具を挿入して、灰を掬い、掴み灰清掃用蓋で蓋をして、ふるい作業を行うことを繰り返す作業は、スリットの間隔の範囲でしかふるい作業を行うことが出来ないので、工数を掛けないと充分ふるい作業が出来ないという課題がある。【００１８】
【特許文献１】実公平６−４６３８３号公報
【特許文献２】特開２００６−１７５１８４号公報
【特許文献３】実登第３１２０１１４号公報
【考案の開示】
【考案が解決しようとする課題】
【００１９】  従来から用いられている仏壇香炉、線香立てから燃え残り線香を清掃する各種用具の公報を前記記載して説明した。
前記記載の灰ふるい器は、仏壇香炉、または線香立ての燃え残り線香を清掃するとき、仏壇香炉、または線香立ての灰を、灰ふるい器の中に入れる作業と、仏壇香炉、または線香立てに戻す作業が必要である。灰を容器に入れ替えるとき、灰が周囲に飛び散り落下する。さらに、灰を煙幕のように周囲に撒き散らす恐れがあるので慣れた者が風のない雨の降らない家の外でなければ扱い難いという課題がある。【００２０】  前記記載の灰ふるいは、線香立ての燃え残り線香を清掃するには、線香立ての直径と、透明なプラスチック容器本体の透明容器の直径とが一致することが望ましい。一致しないとき、線香立ての直径が透明容器より大きいと、清掃しない灰が、透明容器の外にこぼれるので天地を逆さにできない。線香立ての燃え残り線香を灰と共に細心の注意を払い網容器に移し換えることになる。線香立ての直径と、透明容器の直径とが一致しても、清掃した灰を透明容器から線香立てに戻すとき、灰が周囲に飛び散り落下する。あるいは、灰を煙幕のように周囲に撒き散らすことになるので慣れた者が風のない雨の降らない家の外でなければ扱い難いという課題がある。【００２１】  前記記載の灰清掃具セットは、仏壇香炉、または線香立ての線香の燃え残りを清掃するとき、仏壇香炉、または線香立ての直径と、灰清掃用蓋の直径とを一致させることが必要となる。直径の一致した灰清掃用蓋を準備するという課題がある。又は、従来使用している由緒ある仏壇香炉、または線香立ての使用を中止して、灰清掃具セットを購入することになる。
また、灰清掃用蓋のスリットから灰清掃用具を挿入して、灰を掬い、掴み灰清掃用蓋で蓋をして、ふるい作業を行うことを繰り返す作業は、スリットの間隔の範囲でしかふるい作業を行うことが出来ないので、工数を掛けないと充分ふるい作業が出来ないという課題がある。【００２２】  本考案は、上記記載のような課題を解決するために仏壇香炉、または線香立ての燃え残りの線香と灰を清掃するとき、仏壇香炉、または線香立ての灰を灰清掃具に移したり、清掃済みの灰を元に戻したりするとき灰が周辺に飛散する課題があった。清掃する灰を直接掬って、掬った灰のふるい作業の際、灰が飛散しないようにするので、誰でも簡単に、ふるい作業のできる電動灰清掃具を提供することを目的としている。【００２３】  本考案の前記ならびにその他の目的と新規な特徴は次の説明を添付図面と照らし合わせて読むと、より完全に明らかになるであろう。ただし図面はもっぱら解説のためのものであって、本考案の技術的範囲を限定するものではない。
【課題を解決するための手段】
【００２４】  上記目的を達成するために、本考案は、仏壇香炉、または線香立ての燃え残りの線香と灰を直接掬い清掃をするスプーン型の灰掬い部と、スプーン型の灰掬い部の柄と嵌合したスライダと、スライダを有した往復運動部と、電池を含めた電源制御部を円筒ケース把握部に収納して構成された電動灰清掃具であって、該電動灰清掃具は、金属あるいはプラスチックを用いて形成したスプーン型の灰掬い部と、円筒ケース把握部を設ける。該円筒ケース把握部は、往復運動部と、電源制御部を収納する。スプーン型の灰掬い部は、灰掬い部枠と、該灰掬い部枠を支持する柄を設ける。灰掬い部枠に設けた金網は、ステンレス網メッシュ数１２からメッシュ数２０のいずれか一つのメッシュ数で形成する。柄と嵌合したスライダに往復運動を伝える往復運動部は、モーター軸に取り付けたピニオンギアに、該ピニオンギアの軸直角に噛合するクランク・デスクのギアに噛合して、回転運動をするクランク・デスクと、往復運動をするスライダとコネクテング・ロッドで接続して、灰清掃の際の最適往復運動値が得られるようにモーターに電池を接続して制御する電源制御部は、モーターの回転数を、電気回路に設けた並列抵抗を選択して供給電圧を制御するスイッチとの構成の電動灰清掃具である。【００２５】  また、請求項２記載の考案では、請求項１記載の考案であって、上記記載の電動灰清掃具は、仏具であるので仏壇香炉と、または線香立てと、電動灰清掃具とを組み合わせて使用するときは、仏壇香炉と、または線香立てと、電動灰清掃具の外観全体の材質を統一して、統一した材質を、金と、銀と、プラチナ等のいずれか一つの金属で仕上げる。また、電動灰清掃具のステンレス網は外観全体の材質の色に合わせてメッキで着色する電動灰清掃具の構成である。
【考案の効果】
【００２６】  以下の説明から明らかになるように、本考案にあっては次に列挙する効果が得られる。【００２７】  本考案は、仏壇香炉、または線香立ての燃え残りの線香と灰を直接掬い清掃をするスプーン型の灰掬い部と、スプーン型の灰掬い部の柄と嵌合したスライダと、スライダを有した往復運動部と、電池を含めた電源制御部を円筒ケース把握部に収納して構成された電動灰清掃具であって、該電動灰清掃具は、金属あるいはプラスチックを用いて形成したスプーン型の灰掬い部と、円筒ケース把握部を設ける。該円筒ケース把握部は、往復運動部と、電源制御部を収納する。スプーン型の灰掬い部は、灰掬い部枠と、該灰掬い部枠を支持する柄を設ける。灰掬い部枠に設けた金網は、ステンレス網メッシュ数１２からメッシュ数２０のいずれか一つのメッシュ数で形成する。柄と嵌合したスライダに往復運動を伝える往復運動部は、モーター軸に取り付けたピニオンギアに、該ピニオンギアの軸直角に噛合するクランク・デスクのギアに噛合して、回転運動をするクランク・デスクと、往復運動をするスライダとコネクテング・ロッドで接続して、灰清掃の際の最適往復運動値が得られるようにモーターに電池を接続して制御する電源制御部は、モーターの回転数を、電気回路に設けた並列抵抗を選択して供給電圧を制御するスイッチとの構成の電動灰清掃具であるので、仏壇香炉、または線香立ての灰を本考案の電動灰清掃具を使用して誰でも簡単に、直接スプーン型灰掬い部で、灰を掬って、掬った灰のふるい作業が出来るようになった。仏壇香炉、または線香立ての灰を灰ふり器や、灰ふりを使用しないで済むので、他のうつわに灰を移したり戻したりしなくなったので、灰が煙幕のように立つこともなくなった。また、灰清掃具セットの灰清掃具で灰を掬い、柄を掴み、灰のふるい作業は、灰清掃用蓋のスリットの幅から灰のふるい作業の場が限定されるので、工数を掛けて清掃作業をしていたが、灰清掃具セットを使用しなくて済むので、工数を掛けて灰を清掃することもなくなった。灰を煙幕のように周囲に撒き散らすことも解消され、慣れた者が風のない雨の降らない家の外でなければ扱い難いということも解消された。【００２８】  また、請求項２記載の考案では、請求項１記載の考案であって、上記記載の電動灰清掃具は、仏具であるので仏壇香炉と、または線香立てと、電動灰清掃具とを組み合わせて使用するときは、組み合わせて使用する仏壇香炉と、または線香立てと、電動灰清掃具の外観全体の材質を統一して、統一した材質を、金と、銀と、プラチナ等のいずれか一つの金属で仕上げる。また、電動灰清掃具のステンレス網は外観全体の材質の色に合わせてメッキで着色する電動灰清掃具の構成であるので、例えば、一つの金属である金製品で完成された仏壇香炉と、または線香立てを仏壇に祭り、電動灰清掃具を仏壇の近くに置いた祭礼用具を拝観することにより、礼拝者が都度、電動灰清掃具を使用して仏壇香炉、または線香立ての線香の燃え残りと、灰を清掃する心になる。先祖に対する畏敬の念と、高級感が醸し出され礼拝者の心が癒される。
【考案を実施するための最良の形態】
【００２９】  従来から仏壇香炉、または線香立ての灰の清掃は、市販の灰清掃用具を使用しても、慣れた者が風のない雨の降らない家の外でなければ扱い難いということであったが本考案の電動灰清掃具で解決することが出来る。
以下、図面に示す実施するための最良の形態により、本考案を詳細に説明する。【００３０】  図１は、本考案の電動灰清掃具の平面図を示した図である。図２は、図１の側面図を示した図である。
図１と、図２を説明する。
本考案は、仏壇香炉、または線香立て燃え残りの線香と、灰を清掃する電動灰清掃具である。電動灰清掃具１５０は、外観上は、スプーン型の灰掬い部１１０と、筒状ケース把握部１４０とで構成されている。
電動灰清掃具１５０は、スプーン型の灰掬い部１１０と、把握しやすい円筒形をした筒状ケース把握部１４０の内部に往復運動部１２０と、電池を含めた電源制御部１３０が収納されている。
図１と、図２では、上記記載以外に、灰ふるいの往復運動数を切替えるスイッチ１３２と、電池を交換するために使用する電池交換蓋１４１がある。【００３１】  電動灰清掃具１５０は、金属あるいはプラスチックを用いて形成したスプーン型の灰掬い部１１０と、円筒ケース把握部１４０を設ける。
該円筒ケース把握部１４０は、往復運動部１２０と、電源制御部１３０を収納する。
スプーン型の灰掬い部１１０は、灰掬い部枠１１１と、該灰掬い部枠１１１を支持する柄１１３を設ける。該柄１１３は、往復運動部のスライダ１２６と嵌合するように形成する。柄１１３とスライダ１２６は、着脱自在とする。
灰掬い部枠１１１に設けた金網１１２は、ステンレス網メッシュ数１２からメッシュ数２０のいずれか一つのメッシュ数で形成する。【００３２】  図３は、本考案の電動灰清掃具の電気配線及び概略のメカニズムを示した図である。
往復運動部１２０は、往復運動部のスライダ１２６と、スプーン型の灰掬い部１１０の柄１１３と嵌合して、掬った灰を往復運動により線香の燃え残りと灰を分離させる。モーター１２１軸に取り付けたピニオンギア１２２に、該ピニオンギア１２２の軸直角に噛合するクランク・デスク１２３のギア１２４に噛合する。回転運動をするクランク・デスク１２３と往復運動をするスライダ１２６をコネクテング・ロッド１２５で接続した一般的なクランク機構である。スライダ１２６は複数のスライダ支持片１２７で支持される。
モーター１２１の回転運動を往復運動に変換する機構として、上記記載の一般的なクランク機構以外に、スコッチ・ヨーク機構や、ラック・アンド・オピニオン機構が一般的に知られている。往復運動の各機構は、いずれか一つを選択して使用すればよい。【００３３】  スプーン型の灰掬い部１１０の金網１１２は、金網１１２のメッシュ部分を金網ステンレス網規格表で示されるステンレス網メッシュ数１２からメッシュ数２０のいずれか一つのメッシュ数で形成する。メッシュ数の番号１２及び２０はメッシュの目開きを示すメッシュ数番号であって符号の説明ではない。【００３４】  電源制御部１３０は、モーター１２１に電池１３１を接続して駆動する方式で、モーター１２１の回転数は、電気回路１３３に設けた並列抵抗１３４をスイッチ１３２で選択する。仏壇香炉、または線香立ての灰の清掃の際に、往復運動で、灰が仏壇香炉、または線香立てより外周に零れないように並列抵抗１３４でモーター１２１に供給する電圧を制御している。例えば、灰掬い部１１０の往復運動距離を２ｍｍとする。往復運動数を１分１０００回を目標にするとよい。１．５Ｖ用超小型モーターと、電池は単三を１本と、抵抗は１Ω、２Ωを使用した。【００３５】  上記記載の電動灰清掃具は、仏具であるので仏壇香炉と、または線香立てと、電動灰清掃具とを組み合わせて使用するときは、組み合わせて使用する仏壇香炉と、または線香立てと、電動灰清掃具の外観全体の材質を統一して、統一する材質を、金と、銀と、プラチナ等のいずれか一つの金属で仕上げる。また、電動灰清掃具のステンレス網は外観全体の材質の色に合わせてメッキで着色する電動灰清掃具の構成であってよい。
【産業上の利用可能性】
【００３６】  本考案は、宗教用具または祭礼用具を製造、販売する産業で利用され、また、一般の家庭や、仏教寺院等で使用される。
【図面の簡単な説明】
【００３７】
【図１】本考案の電動灰清掃具の平面図を示した図である。
【図２】図１の側面図を示した図である。
【図３】本考案の電動灰清掃具の電気配線及び概略のメカニズムを示した図である。
【図４】図４（Ａ）は、従来の灰ふるい器の斜視図を示した図である。図４（Ｂ）は、図４（Ａ）の断面図を示した図である。
【図５】図５（Ａ）は、従来の線香ふるいを線香立てに覆いかぶせた斜視図を示した図である。図５（Ｂ）は、図５（Ａ）の天地を逆さにした斜視図を示した図である。
【図６】図６（Ａ）は、図５（Ｂ）の網容器の斜視図を示した図である。図６（Ｂ）は、図５（Ｂ）の透明容器の斜視図を示した図である。
【図７】図７（Ａ）は、従来の灰清掃用具の斜視図を示した図である。図７（Ｂ）は、図７（Ａ）灰清掃用具の使用例の斜視図を示した図である。
【図８】図８（Ａ）は、従来の灰清掃用蓋の斜視図を示した図である。図８（Ｂ）は、従来の灰清掃具セットの使用例の斜視図を示した図である。
【符号の説明】
【００３８】  １１０  灰掬い部
１１１  灰掬い部枠
１１２  金網
１１３  柄
１２０  往復運動部
１２１  モーター
１２２  ピニオンギア
１２３  クランク・デスク
１２４  ギア
１２５  コネクテング・ロッド
１２６  スライダ
１２７  スライダ支持片
１３０  電源制御部
１３１  電池
１３２  スイッチ
１３３  電気回路
１３４  並列抵抗
１４０  筒状ケース把握部
１４１  電池交換蓋
１５０  電動灰清掃具
【図１】
0003140741.tif 000003
【図２】
0003140741.tif 000004
【図３】
0003140741.tif 000005
【図４】
0003140741.tif 000006
【図５】
0003140741.tif 000007
【図６】
0003140741.tif 000008
【図７】
0003140741.tif 000009
【図８】
0003140741.tif 000010